【手続補正書】
【提出日】令和3年10月18日(2021.10.18)
【手続補正１】
【補正対象書類名】特許請求の範囲
【補正対象項目名】全文
【補正方法】変更
【補正の内容】
【特許請求の範囲】
【請求項１】
合成生分解性向上繊維であって、
ポリエチレンポリマー、ポリ（エチレンテレフタラート）（ＰＥＴ）、ポリ（ブチレンテレフタラート）（ＰＢＴ）、ポリトリメチレンテレフタラート（ＰＴＴ）、及びポリプロピレン（ＰＰ）から選択されるポリマー材料と、
生分解環境にて、前記ポリマー材料の生分解速度を向上する、前記ポリマー材料内に少なくとも部分的に含有される、０．１〜４．５重量％の１つ以上の生分解性添加剤であって脂肪族−芳香族エステル、ポリラクチド、官能性成分、単糖類、アルドヘキソースまたはこれらの組合せのうちの少なくとも１つを含む前記生分解性添加剤と、
を含み、
前記繊維が０．４〜１０のデニールを有する、合成生分解性向上繊維。
【請求項２】
前記ポリマー材料の少なくとも８５％を含む、請求項１に記載の合成生分解性向上繊維。
【請求項３】
前記ポリマー材料が、ポリエステルを含む、請求項１または２に記載の合成生分解性向上繊維。
【請求項４】
前記ポリエステルが、ポリエチレンテレフタレートである、請求項３に記載の合成生分解性向上繊維。
【請求項５】
前記生分解性添加剤が、少なくとも１種の脂肪族−芳香族エステルと、少なくとも１種のポリラクチドと、少なくとも１種の官能性成分と、少なくとも１種の単糖類と、少なくとも１種のアルドヘキソースと、を含む、請求項１〜４のいずれか一項に記載の合成生分解性向上繊維。
【請求項６】
前記合成繊維がシリコン処理されている、請求項１〜５のいずれか一項に記載の合成生分解性向上繊維。
【請求項７】
前記シリコン処理する材料が、前記１つ以上の生分解性添加剤を含まない、請求項６に記載の合成生分解性向上繊維。
【請求項８】
前記１つ以上の生分解性添加剤が、前記ポリマー材料内で均一に分散されている、請求項１〜７のいずれか一項に記載の合成生分解性向上繊維。
【請求項９】
０．５〜３重量％の前記１つ以上の生分解性添加剤を含む、請求項１〜８のいずれか一項に記載の合成生分解性向上繊維。
【請求項１０】
０．５〜１．５重量％の前記１つ以上の生分解性添加剤を含む、請求項１〜９のいずれか一項に記載の合成生分解性向上繊維。
【請求項１１】
１以下のデニールを有する、請求項１〜１０のいずれか一項に記載の合成生分解性向上繊維。
【請求項１２】
１を超えるデニールを有する、請求項１〜１１のいずれか一項に記載の合成生分解性向上繊維。
【請求項１３】
前記繊維が、ＡＳＴＭ  Ｄ６４００−１２に従って測定された、生分解性に対する基準に該当するまたは超える、請求項１〜１２のいずれか一項に記載の合成生分解性向上繊維。
【請求項１４】
前記繊維がモノフィラメントとして構成されている、請求項１〜１３のいずれか一項に記載の合成生分解性向上繊維。
【請求項１５】
２００°Ｃ以下の結合温度を有する、請求項１〜１４のいずれか一項に記載の合成生分解性向上繊維。
【請求項１６】
前記生分解環境が、前記ポリマー材料および前記生分解性添加剤を、分解する及び／または分解を促進する微生物を含む環境である、請求項１〜１５のいずれか一項に記載の合成生分解性向上繊維。
【請求項１７】
前記生分解環境が嫌気性である、請求項１６に記載の合成生分解性向上繊維。
【請求項１８】
前記生分解環境が、ゴミ処分場または海水である、請求項１６に記載の合成生分解性向上繊維。
【請求項１９】
前記繊維が、５〜１２０ｍｍの長さを有するステープルファイバである、請求項１〜１８のいずれか一項に記載の合成生分解性向上繊維。
【請求項２０】
前記繊維がフィラメントである、請求項１〜１９のいずれか一項に記載の合成生分解性向上繊維。
【請求項２１】
請求項１〜２０のいずれか一項に記載の合成生分解性向上繊維を含む、詰綿。
【請求項２２】
請求項１〜２１のいずれか一項に記載の合成生分解性向上繊維を含む、断熱材料。
【請求項２３】
請求項１〜２２のいずれか一項に記載の合成生分解性向上繊維を含む、糸。
【請求項２４】
請求項１〜２３のいずれか一項に記載の合成生分解性向上繊維を含む、物品。
【請求項２５】
前記物品が、上着製品、履物、衣類、寝袋、寝具および工業用繊維素材からなる群から選択される、請求項２４に記載の物品。
【請求項２６】
合成生分解性向上繊維であって、
ポリエチレンポリマー、ポリ（エチレンテレフタラート）（ＰＥＴ）、ポリ（ブチレンテレフタラート）（ＰＢＴ）、ポリトリメチレンテレフタラート（ＰＴＴ）、及びポリプロピレン（ＰＰ）から選択されるポリマー材料と、
生分解環境にて、前記ポリマー材料の生分解速度を向上する、前記ポリマー材料内に少なくとも部分的に含有される、０．１〜４．５重量％の１つ以上の生分解性添加剤であって、脂肪族−芳香族エステル、ポリラクチド、官能性成分、単糖類、アルドヘキソースまたはこれらの組合せのうちの少なくとも１つを含む、生分解性添加剤と、
前記ポリマー材料および生分解性添加剤の周囲に広がるシリコンコーティングと、を含み、
前記繊維が０．４〜１０のデニールを有する、合成生分解性向上繊維。
【請求項２７】
前記ポリマー材料の少なくとも８５％を含む、請求項２６に記載の合成生分解性向上繊維。
【請求項２８】
前記ポリマー材料が、ポリエステルを含む、請求項２６または２７に記載の合成生分解性向上繊維。
【請求項２９】
前記ポリエステルが、ポリエチレンテレフタレートである、請求項２８に記載の合成生分解性向上繊維。
【請求項３０】
前記生分解性添加剤が、少なくとも１種の脂肪族−芳香族エステルと、少なくとも１種のポリラクチドと、少なくとも１種の官能性成分と、少なくとも１種の単糖類と、少なくとも１種のアルドヘキソースと、を含む、請求項２６〜２９のいずれか一項に記載の合成生分解性向上繊維。
【請求項３１】
前記シリコンコーティングが、前記生分解性添加剤を含まない、請求項２６〜３０のいずれか一項に記載の合成生分解性向上繊維。
【請求項３２】
前記１つ以上の生分解性添加剤が、前記ポリマー材料内に均一に分散されている、請求項２６〜３１のいずれか一項に記載の合成生分解性向上繊維。
【請求項３３】
０．５〜３重量％の前記１つ以上の生分解性添加剤を含む、請求項２６〜３２のいずれか一項に記載の合成生分解性向上繊維。
【請求項３４】
０．５〜１．５重量％の前記１つ以上の生分解性添加剤を含む、請求項２６〜３３のいずれか一項に記載の合成生分解性向上繊維。
【請求項３５】
１以下のデニールを有する、請求項２６〜３４のいずれか一項に記載の合成生分解性向上繊維。
【請求項３６】
１を超えるデニールを有する、請求項２６〜３４のいずれか一項に記載の合成生分解性向上繊維。
【請求項３７】
２００°Ｃを超える結合温度を有する、請求項２６〜３６のいずれか一項に記載の合成生分解性向上繊維。
【請求項３８】
２００°Ｃ以下の結合温度を有する結合繊維を含む、請求項２６〜３７のいずれか一項に記載の合成生分解性向上繊維。
【請求項３９】
前記生分解環境が、前記ポリマー材料および前記生分解性添加剤を、分解する及び／または分解を促進する微生物を含む環境である、請求項２６〜３８のいずれか一項に記載の合成生分解性向上繊維。
【請求項４０】
前記生分解環境が嫌気性である、請求項３９に記載の合成生分解性向上繊維。
【請求項４１】
前記生分解環境が、ゴミ処分場または海水である、請求項４０に記載の合成生分解性向上繊維。
【請求項４２】
前記繊維が、５〜１２０ｍｍの長さを有するステープルファイバである、請求項２６〜４１のいずれか一項に記載の合成生分解性向上繊維。
【請求項４３】
前記繊維がフィラメントである、請求項２６〜４１のいずれか一項に記載の合成生分解性向上繊維。
【請求項４４】
前記繊維が、モノフィラメントとして構成されている、請求項４３に記載の合成生分解性向上繊維。
【請求項４５】
請求項２６〜４４のいずれか一項に記載の合成生分解性向上繊維を含む、詰綿。
【請求項４６】
請求項２６〜４５のいずれか一項に記載の合成生分解性向上繊維を含む、断熱材料。
【請求項４７】
請求項２６〜４６のいずれか一項に記載の合成生分解性向上繊維を含む、糸。
【請求項４８】
請求項２６〜４７のいずれか一項に記載の合成生分解性向上繊維を含む、物品。
【請求項４９】
前記物品が、上着製品、履物、衣類、寝袋、および寝具からなる群から選択される、請求項４８に記載の物品。
【請求項５０】
請求項１〜４９のいずれか一項に記載の合成生分解性向上繊維を製造する方法であって、前記方法が、
前記１つ以上の生分解性添加剤と前記ポリマー材料を混合し、これにより生分解性向上ポリマー混合物を形成することと、
前記生分解性向上ポリマー混合物を押し出すことと、
任意に、１つ以上の追加処理工程を実施し、これにより前記合成繊維を形成することと、を含む、方法。
【請求項５１】
前記１つ以上の追加処理工程が、前記繊維をシリコン処理することを含む、請求項５０に記載の方法。
【請求項５２】
前記混合の間、前記１つ以上の生分解性添加剤および前記ポリマー材料が乾燥状態である、請求項５０または５１に記載の方法。
【請求項５３】
前記混合の間、前記１つ以上の生分解性添加剤および前記ポリマー材料が、湿潤状態または液体である、請求項５０〜５３のいずれかの請求項に記載の方法。
【請求項５４】
前記生分解性向上ポリマー混合物の押出が、１以下のデニールを有する前記繊維を形成する、請求項５０〜５３のいずれか一項に記載の方法。
【請求項５５】
前記生分解性向上ポリマー混合物の押出が、生分解性向上ポリマーペレットを形成することを含む、請求項５０〜５４のいずれか一項に記載の方法。
【請求項５６】
前記追加処理工程が、前記生分解性向上ポリマーペレットから前記合成生分解性向上繊維を形成することを含む、請求項５５に記載の方法。
【請求項５７】
前記生分解性向上ポリマーペレットが、前記合成生分解性向上繊維を形成するように押し出される、請求項５６に記載の方法。